(57)【特許請求の範囲】
【請求項１】
箱状の筐体に、コインを通過させるための孔部が穿設された遊技機において、
前記孔部を閉塞可能な大きさの蓋部を有する開閉蓋を備え、
前記蓋部には、前記孔部に嵌入可能な凸起部が設けられ、
前記孔部は、略矩形状に形成され、
前記凸起部は、前記孔部の内径寸法より一回り小さい外形寸法を有する矩形枠状の枠体として形成された第１リブと、前記第１リブに対して直交する方向で、前記第１リブから前記孔部の内壁面に向かって突出し、前記嵌入状態で前記孔部の内壁面に対向する第２リブと、を有し、
前記第２リブは、前記蓋部の裏面から突出する方向に移行するにしたがって面取りされていることを特徴とする遊技機。
【請求項２】
前記開閉蓋は、前記筐体に固定される固定部を備え、
前記蓋部は、前記固定部に支持されて前記孔部を閉塞する閉塞位置及び前記孔部を開放する開放位置の何れか一方に選択的に移動可能であることを特徴とする請求項１に記載の遊技機。
【請求項３】
前記開閉蓋は、前記蓋部を閉塞位置に係止する第１係止手段を有することを特徴とする請求項１又は２に記載の遊技機。
【請求項４】
前記開閉蓋は、前記蓋部を開放位置に係止する第２係止手段を有することを特徴とする請求項１〜３の何れか１項に記載の遊技機。
【発明の詳細な説明】
【技術分野】
【０００１】
本発明は、スロットマシン等の遊技機に関するものである。
【背景技術】
【０００２】
例えば、遊技機であるスロットマシンは、スロットマシンのコイン投入口から投入された遊技媒体であるコインをスロットマシンの筐体内に設けられているホッパ装置のメインタンクに貯留すると共に、遊技の入賞結果に応じた枚数のコインをメインタンクから外部に排出する構成を有する。
【０００３】
したがって、例えば特別入賞が連続して成立し、遊技者に大量のコインの払い出しが行われる等、コインの投入枚数に対して排出枚数の方が多い遊技が続いた場合、メインタンクのコイン貯留量は減少する。
【０００４】
このようなメインタンクにコインを補給する方法として、従来より手動式と自動式がある。手動式は、遊技店の従業員等が手作業によりスロットマシンの前面扉を開いてメインタンク内に直接コインを補給するものであり、自動式は、スロットマシンが設置される設備、いわゆる島設備に設けられた既知のコイン自動補給装置によってメインタンク内に自動的にコインを補給するものである。
【０００５】
自動式は、手動式と比較した場合に、前面扉を開くことなく、メインタンク内に自動的にコインが補給されることから、遊技者による遊技を中断させることがなく、従業員等の作業負担も軽減することができる。
【０００６】
コイン自動補給装置は、ホッパ装置のメインタンク内にコインを自動的に補給するものであり、スロットマシンとは別個に設けられているコイン貯留タンクからスロットマシンまでコインを搬送するコイン補給管を有している。
【０００７】
このコイン補給管は、例えばスロットマシンの上方からスロットマシンの背面側を筐体の背板に沿って下方に向かって延在し、筐体の背板に開口する孔部に挿通されて筐体内に突出し、コイン補給管の下端部がメインタンクの上方位置で下方に向かって開口し、コイン貯留タンクから搬送されたコインが、スロットマシンの上方からコイン補給管内を通過してメインタンク内に補給されるように設けられている（例えば、特許文献１を参照）。
【０００８】
スロットマシンが設置される店舗には、コイン自動補給装置を備えている店舗と、備えていない店舗の２種類が存在し、また、同一店舗内であっても、コイン自動補給装置を備えている島設備と、備えていない島設備とが混在する店舗も存在する。したがって、スロットマシンの筐体は、コイン自動補給装置を備えている場合と備えていない場合の両方に対応できる構造を採用している。
【０００９】
例えば、筐体の背板に予め切断線が形成されており、その切断線に沿って背板の一部を切り取ることにより、孔部を形成でき、コイン補給管を挿通することができるように筐体が構成されている。したがって、スロットマシンの設置場所にコイン自動補給装置があるか否かに応じて、適宜選択することができる。
【００１０】
また、筐体の背板に予め孔部が形成されており、その孔部を塞ぐように、閉塞蓋を締結部材で背板に仮止めし、設置場所にコイン自動補給装置があるとき、すなわち上述の自動式のときには、閉塞蓋を取り除くことで孔部を開放する技術が開示されている（例えば、特許文献２を参照）。
【００１１】
【特許文献１】特開２００４−６５５１１号公報（図５）
【特許文献２】特開２００６−１２２３０６号公報
【発明の開示】
【発明が解決しようとする課題】
【００１２】
しかしながら、上述の背板の一部を切り取って背板に孔部を形成する方法の場合、例えば、コイン自動補給装置を備えた店舗或いは島設備に設置したスロットマシンを、その後、コイン自動補給装置を備えていない店舗或いは島設備に移設したときには、孔部を塞ぐことができず、筐体の背板に孔部が大きく開口した状態で設置されることになる。
【００１３】
このような不要な孔部をそのままの状態で放置しておくと、例えば孔部を介して筐体内に器具を侵入させて、筐体内のコインを盗んだり、電源ボックス内の設定キーを操作する等の不正行為を誘引するおそれがある。また、孔部からゴミ等の異物が筐体内に入り込み、その異物がスロットマシンの遊技動作に影響を与えるおそれもある。
【００１４】
本発明は、筐体内に器具等を侵入させるといった不正行為を防ぐことのできる遊技機を提供することにある。
【課題を解決するための手段】
【００１５】
上記課題を解決する請求項１に記載の発明による遊技機は、箱状の筐体に、コインを通過させるための孔部が穿設された遊技機において、前記孔部を閉塞可能な大きさの蓋部を有する開閉蓋を備え、前記蓋部には、前記孔部に嵌入可能な凸起部が設けられ、前記孔部は、略矩形状に形成され、前記凸起部は、前記孔部の内径寸法より一回り小さい外形寸法を有する矩形枠状の枠体として形成された第１リブと、前記第１リブに対して直交する方向で、前記第１リブから前記孔部の内壁面に向かって突出し、前記嵌入状態で前記孔部の内壁面に対向する第２リブと、を有し、前記第２リブは、前記蓋部の裏面から突出する方向に移行するにしたがって面取りされていることを特徴とする。
【発明の効果】
【００１６】
請求項１に記載の発明によれば、筐体内に器具等を侵入させるといった不正行為を防ぐことができる。
【発明を実施するための最良の形態】
【００１７】
はじめに、本実施の形態から抽出され得る発明群を手段ｎ(ｎ＝０，１，２・・・)として区分して示し、それらを必要に応じて効果等を示しつつ説明する。
【００１８】
手段０．手段０の遊技機は、箱状の筐体に、コインを通過させるための孔部が穿設された遊技機において、前記孔部を閉塞可能な大きさの蓋部を有する開閉蓋を備え、前記蓋部には、前記孔部に嵌入可能な凸起部が設けられたことを特徴とする。
【００１９】
手段１．手段１の遊技機は、箱状の筐体に、コインを通過させるための孔部が穿設された遊技機において、前記筐体に固定される固定部と、前記孔部を閉塞可能な大きさを有し、前記固定部に支持されて前記孔部を閉塞する閉塞位置及び前記孔部を開放する開放位置のいずれか一方に選択的に移動可能な蓋部とを有する開閉蓋を備えたことを特徴とする。
【００２０】
これにより、開閉蓋は、筐体に固定部が固定された状態で、蓋部を閉塞位置と開放位置のいずれか一方に選択的に移動できるので、孔部を開放する際に、開閉蓋を筐体から取り外す必要がない。したがって、孔部を開放しているときに開閉蓋の紛失を防ぐことができる。また、スロットマシンを設置する際に、背板の一部を切り取る作業を行う必要がなく、設置作業を簡素化でき、作業時間を短縮することができる。
【００２１】
手段２．手段２の遊技機は、前記開閉蓋は、前記蓋部を閉塞位置に係止する第１係止手段を有することを特徴とする。これにより、蓋部を閉塞位置に係止することができるので、蓋部が閉塞位置から孔部を開放する方向に移動するのを防ぎ、孔部が勝手に開放されるのを防ぐことができる。
【００２２】
手段３．手段３の遊技機は、前記開閉蓋は、前記蓋部を開放位置に係止する第２係止手段を有することを特徴とする。これにより、蓋部を開放位置に係止することができるので、蓋部が開放位置と閉塞位置の間で勝手に動くのを防止できる。したがって、例えば蓋部の振動等に起因した騒音の発生を防ぐことができる。そして、ヒンジ部によって、蓋部を固定部に対して回動自在に支持し、蓋部を回動させ、蓋部を開放位置と閉塞位置のいずれか一方に選択的に移動することができる。
【００２３】
以下、本発明の本実施の形態について遊技機の一例としてスロットマシン１の場合を例に図面に基づいて説明する。
【００２４】
図１は、本実施の形態に係わるスロットマシン１の全体斜視図、図２は、スロットマシン１の前面扉３を開いた状態を示す斜視図、図３は、スロットマシン１の筐体２内を正面から示す図である。そして、図４は、開閉蓋７０の表面側を示す斜視図、図５は、開閉蓋７０の裏面側を示す斜視図、図６は、孔部２ｊを開閉蓋７０によって閉塞した状態を示す斜視図、図７は、孔部２ｊを開放した状態を示す斜視図、図８は、図６に示すスロットマシン１の断面図、図９は、図７に示すスロットマシン１の断面図、図１０は、図８の要部を拡大して示す図、図１１は、図９の要部を拡大して示す図である。
【００２５】
尚、本実施の形態におけるコイン自動補給装置は、従来と同様の構成を有するものであるので、その詳細な説明を省略する。
【００２６】
スロットマシン１は、図１及び図２に示すように、筐体２と前面扉３を備えている。筐体２は、スロットマシン１の骨格をなす部材であり、天板２ａ、底板２ｂ、背板２ｃ、左側板２ｄ、右側板２ｅからなり、前面が開放された箱形状を有している。
【００２７】
前面扉３は、図２に示すように、左端部の上下複数カ所がヒンジ５によって筐体２に取り付けられ、上下方向の回動中心軸線を回動中心として略水平に回動自在に支持され、回動によって筐体２の前面を閉塞及び開放するように構成されている。
【００２８】
前面扉３の右端部には、筐体２に対して前面扉３を閉塞して施錠状態とする施錠装置６と、その施錠装置による施錠状態を解除して前面扉３を開放するためのキーシリンダ７が備え付けられている。
【００２９】
そして、図１に示すように、前面扉３の中央部上寄り位置には、遊技者に遊技状態を示す遊技パネル８が設けられている。遊技パネル８には、縦長の表示窓９が３つ横並びに形成されている。表示窓９は透明又は半透明な材質によって構成されており、各表示窓９を介してリール５２（図２及び図３を参照）を視認できるようになっている。
【００３０】
遊技パネル８の下方左側には、各リール５２の回転を開始させるために操作されるスタートレバー１１が設けられている。スタートレバー１１は、揺動操作によって各リール５２の回転開始を指示する信号を出力する。
【００３１】
スタートレバー１１の右側には、回転している各リール５２を個別に停止させるためのストップボタン１２がそれぞれ設けられている。各ストップボタン１２は、停止させるリール５２が表示される表示窓９の下方位置に対応して各々配置されており、押し操作によってリール５２の回転停止を指示する信号を出力する。
【００３２】
各ストップボタン１２は、各リール５２の停止操作が可能であるか否かを表示するための発光ランプを内蔵しており、リール５２の回転速度が一定になって回転を停止させることが可能な状態になると点灯し、リール５２の回転が停止すると消灯するようになっている。
【００３３】
遊技パネル８の下方右側には、コイン投入口２１が設けられている。コイン投入口２１から投入されたコインは、図２に示すように、前面扉３の背面に設けられたセレクタ２２によって貯留用通路２３か排出用通路２４のいずれかに案内される。セレクタ２２は、通路切替用のソレノイドを有しており、非励磁時に排出用通路２４側とし、励磁時に貯留用通路２３側に切り換える動作を行う。
【００３４】
貯留用通路２３に案内されたコインは、筐体２内に収容されたホッパ装置６１に供給され、排出用通路２４に案内されたコインは、前面扉３の前面下部に設けられたコイン排出口２５からコイン受け皿２６に排出されて遊技者に返還される。
【００３５】
そして、図１に示すように、コイン投入口２１の下方には、コイン返却スイッチ１３が設けられている。コイン返却スイッチ１３は、コイン投入口２１に投入されたコインがセレクタ２２内に詰まった際に押し操作することにより、セレクタ２２を機械的に動作させて、セレクタ２２内のコインを強制的に排出用通路２４内（図２を参照）に導き、コイン排出口２５からコイン受け皿２６に排出させる。
【００３６】
表示窓９の下方左側には、クレジットされた仮想コインを３枚投入するための３枚投入用のベットボタン１４が設けられている。そして、３枚投入用のベットボタン１４の左方には、クレジットされた仮想コインを２枚投入するための２枚投入用のベットボタン１５と、１枚投入するための１枚投入用ベットボタン１６が設けられている。
【００３７】
スタートレバー１１の左側にはクレジット精算ボタン１７が設けられている。クレジット精算ボタン１７は、予め設定された最大枚数、例えば５０枚となるまでの余剰の投入コイン数や入賞時に獲得した獲得コイン数を電子的に記憶する貯留モード（クレジット機能）と、獲得コイン数を記憶せずに実際に支払う支払モードとを切り替えるように構成されている。
【００３８】
例えば、クレジット精算ボタン１７が１回操作されると、貯留モードとなり蓄積されたコインの枚数の記憶が開始され、再び操作されると貯留モードが解除されて支払モードとなり記憶させた枚数分のコインが実際に排出される。
【００３９】
表示窓９の下方中央には、クレジットモード時に有効化されて貯留記憶されたコイン数を表示する残数表示部３１と、ビッグボーナスやレギュラーボーナス等の特別遊技状態の際に、残りのゲーム数等を表示するゲーム数表示部３２と、獲得コインの枚数を表示する獲得枚数表示部３３とがそれぞれ設けられている。
【００４０】
前面扉３の上部には、遊技の進行に伴って点灯・点滅する上部ランプ３４と、画像・映像等によって種々の情報を表示する液晶表示部３５が設けられている。そして、コイン受け皿２６の上方には、スロットマシン１の機種名や遊技に係わるキャラクタなどが表示された下段プレート３６が装着されている。コイン受け皿２６の左側には灰皿３７が設けられている。コイン排出口２５の左右両側位置には、遊技の進行に伴って種々の効果音を鳴らしたり、遊技者に遊技の状態を報知するスピーカ３８が各々設けられている。
【００４１】
筐体２は、図３に示すように、仕切板２ｆによってその内部が上下に２分割されており、仕切板２ｆの上部には、リールユニット５１が固設されている。
【００４２】
リールユニット５１は、円筒状に形成された３個のリール５２を備えており、各リール５２は、その中心軸線が回転中心軸線となるように、リールユニット５１のベース５３に回転自在に支持されている。各リール５２の回転中心軸線は、筐体２の横幅方向に略水平に左右に延びる同一軸線上に配置されており、各リール５２が各表示窓９に対して１対１で対応している。
【００４３】
各リール５２の表面には、周回方向に所定間隔をおいて複数種類の図柄が表示されており、一つの表示窓１１内から３つの図柄が上下に視認できるように配置されている。そして、リール５２の正転により、各表示窓９には各種図柄が上から下に移動しているように映し出される。
【００４４】
各リール５２は、個々にステッピングモータ（図示せず）に連結されており、各ステッピングモータにより別個独立して回転駆動され、リール表面の図柄が各表示窓９から視認可能な位置に停止される。
【００４５】
リールユニット５１の上方には、主基板ユニット４０が配設されている。主基板ユニット４０は、スロットマシン１の制御を行う主制御装置４１を備えており、台座装置４２によって筐体２内の背板２ｃに取付支持されている。
【００４６】
仕切板２ｆと底板２ｂとの間には、ホッパ装置６１と電源ボックス５５が配設されている。電源ボックス５５は、筐体２の左側板２ｄに沿って設けられており、開閉扉５６を開くことで露出される正面部には、電源スイッチ、リセットスイッチ、設定キー挿入孔（いずれも図示せず）が設けられている。電源スイッチは、主制御装置等を始めとする各部に電源を供給するための起動スイッチである。
【００４７】
リセットスイッチは、スロットマシンの各種状態をリセットするためのスイッチである。本スロットマシン１は、各種データのバックアップ機能を有しており、万一停電が発生した際でも停電時の状態を保持し、停電からの復旧（復電）の際には停電時の状態に復帰できるようになっている。したがって、例えば遊技ホールの営業が終了する場合のように通常手順で電源を遮断すると遮断前の状態が記憶保持されるが、リセットスイッチを押しながら電源スイッチをオンすると、バックアップデータがリセットされるようになっている。また、電源スイッチがオンされている状態でリセットスイッチを押した場合には、エラー状態がリセットされる。
【００４８】
設定キー挿入孔は、ホール管理者などがコインの出玉調整を行うためのものである。すなわち、ホール管理者等が設定キーを設定キー挿入孔へ挿入して操作することにより、スロットマシン１の設定状態（当選確率設定処理）を「設定１」から「設定６」まで変更できるようになっている。
【００４９】
ホッパ装置６１は、図３に示すように、コインを貯留するメインタンク６２と、メインタンク６２内のコインを前面扉３のコイン払出口から１枚ずつ払い出すコイン払出ユニット６３と、メインタンク６２のコイン排出口６４から排出されたコインを貯留する補助タンク６５を備えている。
【００５０】
ホッパ装置６１のメインタンク６２とコイン払出ユニット６３は、取付ベース６６によって筐体２内に固定されている。取付ベース６６は、底板２ｂの左右方向中央位置に固定され、上部にコイン払出ユニット６３が取り付けられ、そのコイン払出ユニット６３の上部にメインタンク６２が取り付けられている。
【００５１】
メインタンク６２は、略四角筒状の胴部６２ａを有する有底の箱形状をなし、胴部６２ａが筐体２の右側板２ｅ、左側板２ｄ、背板２ｃに沿って上下に延在し、胴部６２ａの上端部で投入口が上方に向かって開口するように配置される。
【００５２】
メインタンク６２の胴部６２ａには、コイン排出口６４が設けられている。コイン排出口６４は、メインタンク６２内に貯留されているコインのうち、予め設定された上限量を超える量のコインをメインタンク６２内から排出するためのものであり、胴部６２ａの右側部分の前後方向略中央位置に開口している。
【００５３】
コイン払出ユニット６３は、メインタンク６２内に貯留されたコインを順次搬送するコイン払出用回転板とコイン払出機構（いずれも図示せず）を有しており、コイン払出用回転板がメインタンク６２の下方に臨むように配置されている。コインは、コイン払出用回転板によってコイン払出機構まで搬送され、コイン払出機構によってコイン払出口から払い出される。
【００５４】
補助タンク６５は、図３に示すように、コイン払出ユニット６３と筐体２の右側板２ｅとの間に形成されたスペースに収容されており、筐体２の前部開口部分２ｇから前方に引き出すことによって筐体２内から取り出すことができるようになっている。そして、筐体２内でメインタンク６２のコイン排出口６４の下方に位置してコイン排出口６４から排出されたコインを貯留するように構成されている。
【００５５】
補助タンク６５は、合成樹脂製材料によって構成されており、タンク本体６５ａと、補助タンク６５を筐体２の前方に引き出すための引掛部６５ｂとを備えている。タンク本体６５ａは、所定枚数のコインを貯留可能な容積を有する有底の箱形状を有し、筐体２内に収容された状態で上方に向かって開口しかつメインタンク６２のコイン排出口６４の下方位置に配置される上部開口部６５ｃを有している。
【００５６】
筐体２の背板２ｃには、コイン自動補給装置のコイン補給管Ｓを挿通可能な孔部２ｊが穿設されている。孔部２ｊは、図３に示すように、底板２ｂと仕切板２ｆとの間でかつホッパ装置６１のメインタンク６２よりも上方位置に開口するように形成されて背板２ｃを貫通している。孔部２ｊは、正面視で略正方形状を有しており、孔部２ｊの下辺がメインタンク６２の投入口に沿って延在し、孔部２ｊの上辺が仕切板２ｆの下面に沿って延在している。
【００５７】
そして、孔部２ｊの近傍位置には、後述する開閉蓋７０を固定するための固定孔２ｋが穿設されている。固定孔２ｋは、図８〜図１１に示すように、孔部２ｊの下方位置でかつ孔部２ｊに対して左右方向略中央位置に背板２ｃを貫通して設けられており、一定幅を有して上下に延在する略矩形の長穴形状をなす。
【００５８】
筐体２の背板２ｃには、孔部２ｊを開閉する開閉蓋７０が設けられている。
【００５９】
開閉蓋７０は、図４及び図５に示すように、筐体２に固定される固定部７１と、孔部２ｊを閉塞可能な蓋部８１とを有する。そして、本実施の形態では、固定部７１と蓋部８１が可撓性を有する、例えばポリプロピレン等の合成樹脂製材料によって一体に形成されている。
【００６０】
まず最初に、固定部７１の構成について説明する。固定部７１は、帯板状の固定基板７２を有している。固定基板７２は、背板２ｃの固定孔２ｋよりも大きく、固定孔２ｋに固定された状態で固定基板７２の外縁部が筐体２の背板２ｃに対向して固定孔２ｋを完全に閉塞する大きさを有している。
【００６１】
これにより、例えば固定孔２ｋが固定部７１によって閉塞された状態で固定孔２ｋを通して筐体２内に器具等を挿入しようとした場合には、一旦、固定基板７２と背板２ｃとの間を背板２ｃに沿う方向に器具等を差し込み、それから、９０度向きを変えて、孔部２ｊの内壁面に沿う方向に器具等を差し込む略Ｌ字状の挿入経路を必ず経るようにさせ、器具等を容易に挿入できないようにしている。
【００６２】
固定基板７２の裏面には、固定孔２ｋに嵌入される凸起部７３と、固定部７１を固定孔２ｋに係止する第１固定爪７４、第２固定爪７５が突設されている。
【００６３】
凸起部７３は、固定孔２ｋに嵌入された状態で固定孔２ｋの内壁面との間に所定の間隙を形成し、固定孔２ｋに対して若干のガタつき、いわゆる遊びを持つ大きさを有している。そして、固定基板７２の剛性を確保するとともに、固定孔２ｋに対する固定部７１の位置決めを行う役割を有している。
【００６４】
凸起部７３は、本実施の形態では、図５に示すように、固定基板７２の裏面から突出する複数本のリブ７３ａ〜７３ｆによって構成されている。
【００６５】
リブ７３ａ、７３ｂは、後述するヒンジ部８３側の位置である固定基板７２の長手方向一方側の端部７２Ａ寄りの位置に対をなして設けられており、それぞれが固定基板７２の幅方向に沿って延在し、互いに固定基板７２の長手方向に離間して平行に配置されている。
【００６６】
リブ７３ａ、７３ｂの高さ寸法は、図１０及び図１１に示すように、背板２ｃの板厚よりも大きく、凸起部７３を固定孔２ｋに嵌入した状態で筐体２内に突出する大きさに設定されている。リブ７３ａ、７３ｂの横幅寸法は、凸起部７３を固定孔２ｋに嵌入した状態で、両端部が固定孔２ｋ内で左右の内壁面にそれぞれ所定の間隙を有して対向する大きさに設定されている。
【００６７】
リブ７３ａ、７３ｂの両端部には、固定基板７２から突出する方向に移行するにしたがって漸次固定基板７２の幅方向中央側に向かって移行するように面取りがなされている。リブ７３ａ、７３ｂの面取りは、凸起部７３を固定孔２ｋに嵌入する際に、リブ７３ａ、７３ｂの角が固定孔２ｋの開口縁に突き当たるのを防止すると共に、面取りの傾斜面によって適切な位置に案内して固定基板７２の幅方向の位置ずれを修正し、凸起部７３の固定孔２ｋへの嵌入作業を容易ならしめるように形成されている。
【００６８】
リブ７３ｃは、リブ７３ａ、７３ｂの間の位置に対をなして設けられており、固定基板７２から起立し、それぞれがリブ７３ａ、７３ｂの間に亘って固定基板７２の長手方向に沿って延在し、互いに固定基板７２の幅方向に離間して平行に配置され、リブ７３ａ、７３ｂの間を連結している。
【００６９】
リブ７３ｄは、リブ７３ｂよりも固定基板７２の長手方向他方側の端部７２Ｂ寄りの位置に設けられており、固定基板７２の長手方向に沿って延在してリブ７３ｂと固定基板７２とを連結している。
【００７０】
そして、リブ７３ｅは、リブ７３ａよりも固定基板７２の端部７２Ａよりの位置に設けられており、固定基板７２の長手方向に沿って延在してリブ７３ａと固定基板７２及び第２固定爪７５とを連結している。
【００７１】
リブ７３ｆは、固定基板７２の端部７２Ｂに設けられている。リブ７３ｆは、固定基板７２から垂直に突出して固定基板７２の長手方向に沿って延在し、互いに固定基板７２の幅方向に離間して平行に配置されて、固定基板７２の端部７２Ａ側に位置する端部間が互いに連結された平面視略コ字形を有しており、凸起部７３を固定孔２ｋに嵌入した状態で、リブ７３ｆの端部が固定孔２ｋ内の下方の内壁面に対して所定の間隙を有して対向する寸法形状を有している。
【００７２】
リブ７３ｆは、図１０及び図１１に示すように、背板２ｃの板厚の約２分の１の大きさにその高さ寸法が設定されている。そして、固定基板７２の端部７２Ｂ側に位置する端部は、固定基板７２から突出する方向に向かって移行するにしたがって漸次固定基板７２の端部７２Ａ側に移行するように面取りがなされている。
【００７３】
リブ７３ｆの面取りは、凸起部７３を固定孔２ｋに嵌入する際に、リブ７３ｆの角が固定孔２ｋの開口縁に突き当たるのを防止すると共に、面取りの傾斜面によって固定部７１全体が固定孔２ｋの上方に向かって移動する方向に案内して固定基板７２の長手方向の位置ずれを修正し、凸起部７３の固定孔２ｋへの嵌入作業を容易ならしめるように形成されている。
【００７４】
固定基板７２は、端部７２Ａ側に比較的大きなリブ７３ａ〜７３ｅが形成されており、端部７２Ｂ側よりも端部７２Ａ側の方が剛性が高くなるように構成されている。したがって、蓋部８１を閉塞位置から開放位置に向かって移動させる際、及び開放位置から閉塞位置に向かって移動させる際に、ヒンジ部８３が設けられている固定基板７２の端部７２Ａ側には端部７２Ｂ側よりも大きな力が作用するが、そのような大きな力が作用した場合にも、固定基板７２の端部７２Ａ側の撓み変形を抑制して固定部７１の固定孔２ｋへの固定を強固にできる。
【００７５】
第１固定爪７４は、固定基板７２の長手方向のリブ７３ｂとリブ７３ｆとの間の略中間位置に設けられており、固定基板７２の幅方向に離間して互いに対向するように２つが配置されている。各第１固定爪７４は、固定基板７２から突出する腕部７４ａと、腕部７４ａの先端に連続して形成された爪部７４ｂとを有している。
【００７６】
腕部７４ａは、筐体２の背板２ｃの厚さ寸法と略同一若しくは若干大きな高さ寸法で突出する板形状を有しており、凸起部７３が固定孔２ｋに嵌入された状態で、固定孔２ｋ内の左右の内壁面に沿って延在するように形成されている。
【００７７】
爪部７４ｂは、腕部７４ａの先端で固定基板７２の幅方向外側に向かって突出するように板厚を腕部７４ａよりも拡大することによって形成されている。そして、固定孔２ｋに挿着した状態で固定孔２ｋの周端縁よりも外側に突出して背板２ｃに対向する係止面と、腕部７４ａの長さを延長する方向に向かって移行するにしたがって漸次固定基板７２の幅方向中央に向かって移行するように傾斜した傾斜面とを有している。
【００７８】
そして、凸起部７３を固定孔２ｋに嵌入する際に、爪部７４ｂの傾斜面を固定孔２ｋ内の左右の内壁面に当接させ、腕部７４ａの先端側が互いに接近する方向に腕部７４ａを弾性変形させて、爪部７４ｂを固定孔２ｋに通過させ、爪部７４ｂが固定孔２ｋを通過した後に、腕部７４ａの復元により、爪部７４ｂの係止面を固定孔２ｋよりも側方に突出させて背板２ｃに対向させ、固定部７１を固定孔２ｋに係止するように形成されている。爪部７４ｂの係止面は、筐体２の背板２ｃに対して平行に対向するように、腕部７４ａに対して略直角に形成されている。
【００７９】
一方、第２固定爪７５は、リブ７３ａよりも更に固定基板７２の端部７２Ａ寄りの位置に離間して設けられており、固定基板７２から突出してリブ７３ａと平行に延在する垂直片７５ａと、垂直片７５ａの先端でリブ７３ａから離間する方向（端部７２Ａ側）に向かって折曲された舌片７５ｂとからなる断面が略Ｌ字形状を有している。
【００８０】
第２固定爪７５の垂直片７５ａは、筐体２の背板２ｃの厚さ寸法よりも若干大きな高さ寸法を有しており、凸起部７３を固定孔２ｋに嵌入した状態で、固定孔２ｋ内の上方の内壁面に沿って延在する。そして、舌片７５ｂは、かかる状態で背板２ｃに対向し、固定基板７２との間に背板２ｃを保持するように形成されている。
【００８１】
第２固定爪７５は、リブ７３ｅによってリブ７３ａに連結されており、垂直片７５ａをリブ７３ａに接近する方向に曲げる力、及び、舌片７５ｂを固定基板７２から離間させる方向に曲げる力に抗する高い曲げ剛性を有する。
【００８２】
したがって、蓋部８１を閉塞位置から開放位置に向かって移動させる際、及び開放位置から閉塞位置に向かって移動させる際に、ヒンジ部８３が設けられている固定基板７２の端部７２Ａ側に作用する力によって、第２固定爪７５が固定基板７２の長手方向に沿って倒れて垂直片７５ａと舌片７５ｂが開く方向に撓み変形するのを抑制でき、固定部７１の固定孔２ｋへの固定を強固にできる。
【００８３】
一方、固定基板７２の表面には、蓋部８１を開放位置に係止する第２係止手段である第２係止爪７６が突設されている。
【００８４】
第２係止爪７６は、図７、図９、図１１に示すように蓋部８１を開放位置に移動させた際に、蓋部８１の係止孔８７内に挿通されて、蓋部８１を開放位置に係止するように構成されている。第２係止爪７６は、図４、図１０、図１１に示すように、固定基板７２の表面でかつ端部７２Ｂ側寄りの位置から突出する腕部７６ａと、腕部７６ａの先端に連続して形成された爪部７６ｂとを有している。
【００８５】
腕部７６ａは、蓋部８１が開放位置に移動された状態で、係止孔８７に挿通可能な大きさと、蓋部８１を貫通する高さ寸法を有している。爪部７６ｂは、腕部７６ａの先端で固定基板７２の端部７２Ｂ側に向かって突出するように板厚を腕部７６ａよりも拡大することによって形成されている。そして、係止孔８７に挿通した状態で係止孔８７の開口縁よりも外側に突出して蓋部８１の裏面と対向する係止面と、腕部７６ａの長さを延長する方向に向かって移行するにしたがって漸次固定基板７２の端部７２Ａ側に移行するように傾斜した傾斜面とを有している。
【００８６】
そして、蓋部８１を閉塞位置から開放位置に移動させた際に、爪部７６ｂの傾斜面を蓋部８１の係止孔８７内の内壁面に当接させ、腕部７６ａを弾性変形させて、爪部７６ｂを固定基板７２の端部７２Ａ側に押し移動させた状態で係止孔８７に通過させ、爪部７６ｂが係止孔８７を通過した後に、腕部７６ａの復元により、爪部７６ｂを固定基板７２の端部７２Ｂ側に移動させて、爪部７６ｂの係止面を蓋部８１の裏面に対向させ、蓋部８１を開放位置に係止するように構成されている。
【００８７】
上記構成を有する固定部７１の固定孔２ｋへの固定は、まず最初に、凸起部７３のうち、固定基板７２の端部７２Ａ側を固定孔２ｋ内に挿入する。その際、リブ７３ａ、７３ｂの面取りが固定孔２ｋの左右の開口縁に当接して、面取りの傾斜面によって適切な位置に案内され、固定孔２ｋに対する固定基板７２の幅方向の位置ずれが修正される。
【００８８】
そして、固定基板７２の端部７２Ａ側が固定孔２ｋ内に挿入された姿勢状態のまま、固定孔２ｋ内を筐体２の上方に向かって移動させ、第２固定爪７５の舌片７５ｂと固定基板７２との間に背板２ｃを介在させる。
【００８９】
それから、固定基板７２の端部７２Ｂ側を固定孔２ｋ内に押し込み、第１固定爪７４の爪部７４ｂを固定孔２ｋ内に挿入する。これにより、爪部７４ｂの傾斜面が固定孔２ｋ内の左右の内壁面に当接されて、固定孔２ｋに対する固定基板７２の幅方向の位置ずれが修正される。
【００９０】
それから、さらに固定基板７２の端部７２Ｂ側を押し込むことにより、腕部７４ａの先端が互いに接近する方向に腕部７４ａを弾性変形させて、爪部７４ｂを固定孔２ｋに通過させる。その際に、リブ７３ｆの面取りが固定孔２ｋの下側の開口縁に当接して、面取りの傾斜面によって固定部７１全体が固定孔２ｋの上方に向かって移動する方向に案内され、固定孔２ｋに対する固定基板７２の長手方向の位置ずれが修正される。
【００９１】
そして、爪部７４ｂが固定孔２ｋを通過した後に、腕部７４ａの復元により、爪部７４ｂの係止面が固定孔２ｋよりも側方に突出して背板２ｃに対向し、第１固定爪７４、第２固定爪７５によって固定孔２ｋに係止される。
【００９２】
したがって、凸起部７３を固定孔２ｋに嵌入する際に、固定孔２ｋに対する固定基板７２の幅方向及び長手方向の位置ずれを修正することができ、かかる嵌入作業を容易に行うことができる。
【００９３】
次に、蓋部８１の構成について以下に説明する。蓋部８１は、孔部２ｊを閉塞可能な大きさを有し、固定部７１に支持されて孔部２ｊを閉塞する閉塞位置及び孔部２ｊを開放する開放位置のいずれか一方に選択的に移動可能な構成を有する。
【００９４】
蓋部８１は、基端辺８２ａ、先端辺８２ｂ、及び左右の側端辺８２ｃ、８２ｄからなる、孔部２ｊよりも一回り大きな矩形の蓋基板８２を有している。蓋基板８２は、所定の板厚で平面状に延在する板形状を有しており、その大きさは、孔部２ｊに被せた際に、孔部２ｊを十分に閉塞し、孔部２ｊの外縁部に沿って一定幅に亘って背板２ｃに対向する大きさに設定されている。
【００９５】
これにより、例えば孔部２ｊが蓋部８１によって閉塞された状態で孔部２ｊを通して筐体２内に器具等を挿入しようとした場合には、一旦、蓋基板８２と背板２ｃとの間を背板２ｃに沿う方向に器具等を差し込み、それから、９０度向きを変えて、孔部２ｊの内壁面に沿う方向に器具等を差し込む略Ｌ字状の挿入経路を必ず経るようにさせ、器具等を容易に挿入できないようにしている。
【００９６】
蓋基板８２は、固定基板７２と略同一の板厚を有しており、固定基板７２と面一に延在するように、基端辺８２ａの中央部分が固定基板７２の端部７２Ａに連結されている。
【００９７】
蓋基板８２と固定基板７２との連結部分には、ヒンジ部８３が介在して設けられている。ヒンジ部８３は、蓋基板８２の基端辺８２ａの中央部分と固定基板７２の端部７２Ａとの間に亘って一直線状の凹溝８３ａを設けることによって構成されている。
【００９８】
この凹溝８３ａにより、蓋基板８２の基端辺８２ａと固定基板７２の端部７２Ａとの間に亘って板厚が薄く形成され、かかる箇所を回動中心として、蓋基板８３を固定基板７２に対して相対的に回動させ、蓋基板８２と固定基板７２とが面一に延在する状態（図１０を参照）から互いに対向して平行に延在する状態（図１１を参照）まで回動させることができる。
【００９９】
蓋基板８２の裏面には、蓋部８１を閉塞位置まで回動させた際に、孔部２ｊに嵌入される凸起部８４と、蓋部８１を閉塞位置に係止する第１係止手段である第１係止爪８５が突設されている。
【０１００】
凸起部８４は、孔部２ｊに嵌入された状態で孔部２ｊの内壁面との間に所定の間隙を形成し、孔部２ｊに対して若干のガタつき、いわゆる遊びを持つ大きさを有している。
【０１０１】
凸起部８４は、蓋基板８２の剛性を確保するとともに、孔部２ｊに対する蓋基板８２の位置決めを行う役割を有している。凸起部８４は、本実施の形態では、図５に示すように、蓋基板８２の裏面から突出するリブ８４ａ〜８４ｃによって構成されている。
【０１０２】
リブ８４ａは、蓋基板８２の基端辺８２ａ、先端辺８２ｂ、側端辺８２ｃ、８２ｄに沿って延在し、孔部２ｊよりも一回り小さな平面視略矩形の枠体を形成し、図１０に示すように、蓋基板８２からの高さ寸法が背板２ｃの板厚とほぼ同一の高さを有している。リブ８４ｂは、リブ８４ａによって形成された枠体内で上下左右方向に亘って延在して設けられている。リブ８４ｃは、リブ８４ａに対して直交する方向でかつリブ８４ａから枠体の外側に向かって突出するように設けられている。
【０１０３】
リブ８４ｃは、凸起部８４を孔部２ｊに嵌入した状態で、外端部が孔部２ｊ内で上下左右の各内壁面にそれぞれ対向する寸法形状を有している。そして、図１０及び図１１に示すように、蓋基板８２から突出する方向に移行するにしたがって漸次枠体８４ａに接近する方向に移行するように面取りがなされている。
【０１０４】
リブ８４ｃの面取りは、凸起部８４を孔部２ｊに嵌入する際に、リブ８４ｃの角が孔部２ｊの開口縁に突き当たるのを防止すると共に、面取りの傾斜面によって適切な位置に案内して蓋基板８２の孔部２ｊに対する上下及び左右方向の位置ずれを修正し、凸起部８４の孔部２ｊへの嵌入作業を容易ならしめるように形成されている。
【０１０５】
第１係止爪８５は、例えば図１０に示すように蓋部８１を閉塞位置に移動させた状態で孔部２ｊに挿通されて蓋部８１を閉塞位置に係止するように構成されている。
【０１０６】
第１係止爪８５は、例えば図５に示すように、蓋基板８２の基端辺８２ａと先端辺８２ｂとの間の中央位置よりも若干先端辺８２ｂ側に偏移した位置であって、凸起部８４を間に介して側端辺８２ｃ、８２ｄ側に離間して対向する位置に設けられており、対をなしている。
【０１０７】
各第１係止爪８５は、蓋基板８２から突出する腕部８５ａと、腕部８５ａの先端に連続して形成された爪部８５ｂとを有している。
【０１０８】
腕部８５ａは、筐体２の背板２ｃの厚さ寸法と略同一若しくは若干大きな高さ寸法で突出する帯板形状を有しており、凸起部８４を孔部２ｊに嵌入した際に、孔部２ｊ内の左右の内壁面に沿って延在するように形成されている。
【０１０９】
爪部８５ｂは、腕部８５ａの先端で蓋基板８２の側方に向かって突出するように板厚を腕部８５ａよりも拡大することによって形成されている。そして、孔部２ｊに挿着した状態で孔部２ｊよりも側方に突出して背板２ｃに対向する係止面と、腕部８５ａの長さを延長する方向に向かって移行するにしたがって漸次蓋基板８２の幅方向中央に向かって移行するように傾斜した傾斜面とを有している。
【０１１０】
そして、凸起部８４を孔部２ｊに嵌入する際に、爪部８５ｂの傾斜面を孔部２ｊ内の左右の内壁面に当接させ、腕部８５ａの先端側が互いに接近する方向に腕部８５ａを弾性変形させて、爪部８５ｂを孔部２ｊに通過させ、爪部８５ｂが孔部２ｊを通過した後に、腕部８５ａの復元により、爪部８５ｂの係止面を孔部２ｊよりも側方に突出させて背板２ｃに対向させ、蓋部８１を閉塞位置に係止するように構成されている。
【０１１１】
第１係止爪８５の腕部８５ａは、第１固定爪７４の腕部７４ａよりも板厚が薄く形成され、また、図１０に示すように、第１係止爪８５の爪部８５ｂは、第１固定爪７４の爪部７４ｂよりも長く、第１固定爪７４よりも第１係止爪８５の方が全体の長さ寸法がより長くなっており、第１固定爪７４よりも第１係止爪８５の方が剛性が低く、容易に撓み易いように形成されている。
【０１１２】
そして、第１係止爪８５の爪部８５ｂは、第１固定爪７４の爪部７４ｂよりも傾斜面の長さが長く、傾斜角度も鋭角に形成されている。
【０１１３】
したがって、固定部７１の凸起部７３を固定孔２ｋに嵌入する際に必要とされる力よりも、蓋部８１の凸起部８４を孔部２ｊに嵌入させる際に必要とされる力を小さくすることができ、蓋部８１の閉塞位置への係止作業を、固定部７１の固定孔２ｋへの固定作業よりも容易に行うことができる。
【０１１４】
また、第１係止爪８５の爪部８５ｂは、第１固定爪７４の爪部７４ｂよりも係止面の突出量が少なく、さらに、第１固定爪７４では爪部７４ｂの係止面が腕部７４ａに対してほぼ直角に形成されて筐体２の背板２ｃに対して平行に対向するのに対し、第１係止爪８５では爪部８５ｂの係止面が腕部８５ａから離間するにしたがって漸次第１係止爪８５の先端側に移行するように傾斜して形成されており、筐体２の背板２ｃに対して斜めに傾いて対向するように形成されている。
【０１１５】
したがって、閉塞位置にある蓋部８１を開放側に移動させて第１係止爪８５による閉塞位置への係止を解除する際に、爪部８５ｂの引っ掛かりを小さくし、第１係止爪８５の傾斜した係止面の上を滑らせて、腕部８５ａを容易に撓ませることができ、係止を簡単に解除することができる。
【０１１６】
したがって、第１固定爪７４が固定部７１を固定孔２ｋに係止する係止力よりも、第１係止爪８５が蓋部８１を閉塞位置に係止する係止力を小さくすることができ、蓋部８１の閉塞位置への係止を解除する作業、即ち、孔部２ｊの開放作業を、固定部７１の固定孔２ｋからの取外作業よりも容易に行うことができる。
【０１１７】
換言すると、蓋部８１を孔部２ｊから外し易くする一方、固定部７１を固定孔２ｋに強固に固定し、蓋部８１を外すときに固定部７１に作用する力では固定部７１が固定孔２ｋから外れ難くしている。
【０１１８】
一方、蓋基板８２の表面には、指掛部８６が設けられている。
【０１１９】
指掛部８６は、蓋基板８２の先端辺８２ｂの一部を蓋基板８２の表面側に膨出させることによって形成されている。本実施の形態では、蓋基板８２の先端辺８２ｂの両側に互いに離間した位置に各々設けられている。そして、図１０に示すように、蓋部８１が閉塞位置に係止された状態で、指掛部８６と背板２ｃとの間に、上方から指先を挿入することが可能な程度の間隙を形成するように構成されている。したがって、第１係止爪８５による係止を解除して蓋部８１を閉塞位置から開放位置に移動させる際に、指掛け部８６に指先を引っ掛けることができ、蓋部８１の開放動作を容易に行うことができる。
【０１２０】
指掛け部８６は、蓋部８１が閉塞位置に係止された状態で、指掛け部８６と背板２ｃとの間に形成される間隙が孔部２ｊに連通しない範囲で膨出して形成されている。
【０１２１】
これにより、例えば孔部２ｊが蓋部８１によって閉塞された状態で孔部２ｊを通して筐体２内に器具等を挿入しようとした場合には、一旦、蓋基板８２と背板２ｃとの間を背板２ｃに沿う方向に器具等を差し込み、それから、９０度向きを変えて、孔部２ｊの内壁面に沿う方向に器具等を差し込む略Ｌ字状の挿入経路を必ず経るようにし、孔部２ｊを通して器具等を筐体２内に容易に挿入できないようにしている。
【０１２２】
また、指掛け部８６は、図１１に示すように、蓋部８１を開放位置に係止した状態で背板２ｃに対向することによって、蓋基板８２と背板２ｃとの間に下方から指先を挿入することが可能な程度の間隙を形成することができる。したがって、第２係止爪７６による係止を解除して蓋部８１を開放位置から閉塞位置に移動させる際に、指先を引っ掛けることができ、蓋部８１の閉塞動作を容易に行うことができる。
【０１２３】
係止孔８７は、蓋基板８２の略中央位置よりも先端辺８２ｂ側寄り位置に穿設されている。係止孔８７は、蓋部８１を回動させて閉塞位置から開放位置に移動させた際に、第２係止爪７６が挿入され、蓋部８１を開放位置に係止する位置に設けられている。
【０１２４】
上記構成を有する開閉蓋７０は、図６〜図１０に示すように、固定基板７２が上下に亘って延在しかつ端部７２Ａ側が上方に位置する姿勢状態で、固定部７１が背板２ｃに固定される。
【０１２５】
蓋部８１は、スロットマシン１を設置する店舗或いは島設備がコイン自動補給装置を備えているか否かに応じて、孔部２ｊを閉塞する閉塞位置と、孔部２ｊを開放する開放位置のいずれか一方に選択的に配置される。
【０１２６】
例えば、コイン自動補給装置を備えている店舗或いは島設備から、コイン自動補給装置を備えていない店舗或いは島設備にスロットマシン１を移設した場合には、孔部２ｊを閉塞すべく、蓋部８１を開放位置から閉塞位置に移動させる。
【０１２７】
蓋部８１を開放位置から閉塞位置に移動させるには、蓋基板８２の係止孔８７に挿通されて係止されている第２係止爪７６の爪部７６ｂを上方に持ち上げて、係止孔８７との係止を解除する。
【０１２８】
そして、ヒンジ部８３を回動中心として蓋部８１を上方に回動させて閉塞位置まで移動させ、蓋部８１の凸起部８４を孔部２ｊに嵌入し、蓋基板８２によって孔部２ｊを閉塞し、第１係止爪８５によって閉塞位置に係止する。
【０１２９】
これにより、蓋部８１は閉塞位置に移動され、固定部７１の固定基板７２と蓋部８１の蓋基板８２とが互いに面一となって背板２ｃに沿って延在し、孔部２ｊが閉塞される。したがって、例えばコイン自動補給装置を備えている店舗或いは島設備から、コイン自動補給装置を備えていない店舗或いは島設備にスロットマシンを移設した場合であっても、筐体２の背板２ｃに孔部２ｊが大きく開口した状態で設置されることはない。
【０１３０】
したがって、孔部２ｊを介して筐体２内に器具等を侵入させるといった不正行為を防ぐことができ、また、孔部２ｊからゴミ等の異物が筐体２内に入り込んでスロットマシン１の遊技動作に影響を与えるのを防ぐことができる。
【０１３１】
また、凸起部８４を孔部２ｊに嵌入する際、リブ８４ｂの面取部分によって、突起部８４を孔部２ｊ内に誘導案内でき、孔部２ｊに円滑に嵌入することができる。
【０１３２】
そして、第１係止爪８５によって、蓋部８１を閉塞位置に係止することができるので、蓋部８１が閉塞位置から、孔部２ｊを開放する方向に移動するのを防ぎ、孔部２ｊが勝手に開放されるのを防ぐことができる。
【０１３３】
一方、コイン自動補給装置を備えている店舗或いは島設備にスロットマシンを設置する場合、或いは、コイン自動補給装置を備えていない店舗或いは島設備からコイン自動補給装置を備えている店舗或いは島設備にスロットマシン１を移設する場合には、蓋部８１を回動させて閉塞位置から開放位置に移動させる。
【０１３４】
蓋部８１を閉塞位置から開放位置に移動させるには、蓋部８１の上方から指掛部８６と背板２ｃとの間に指先を挿入し、ヒンジ部８３を回動中心として蓋部８１を下方に向かって回動させる。この蓋部８１の回動により、第１係止爪８５による孔部２ｊへの係止が解除され、凸起部８４が孔部２ｊから抜き出される。
【０１３５】
そして、更に蓋基板８２の表面と固定基板７２の表面とが互いに対向して平行に延在する位置まで回動させて、蓋部８１の係止孔８７に固定部７１の第２係止爪７６を挿入し、蓋部８１を開放位置に係止する。
【０１３６】
したがって、例えば、コイン自動補給装置を備えている店舗或いは島設備にスロットマシン１を設置する際、或いは、コイン自動補給装置を備えていない店舗或いは島設備からコイン自動補給装置を備えている店舗或いは島設備にスロットマシン１を移設する際に、背板２ｃの一部を切り取る等の作業を行う必要がなく、スロットマシン１の設置時間を短縮することができる。
【０１３７】
また、蓋部８１は、固定部７１に支持されており、固定部７１は、筐体２に固定されているので、孔部２ｊを開放した状態において蓋部８１を紛失するおそれがなく、例えば、コイン自動補給装置を備えている店舗或いは島設備からコイン自動補給装置を備えていない店舗或いは島設備にスロットマシン１を移設したときには、孔部２ｊを迅速かつ確実に閉塞することができる。
【０１３８】
そして、第２係止爪７６によって、蓋部８１を開放位置に係止することができるので、蓋部８１が開放位置と閉塞位置との間で勝手に移動するのを防ぐことができる。
【０１３９】
したがって、例えば、蓋部８１の振動や、その振動に起因した騒音の発生を防ぐことができる。また、蓋部８１を開閉方向に移動させる振動の発生も防ぎ、ヒンジ部３３に過度の折り曲げストレスが加えられることによるヒンジ部３３の破損も防ぐことができる。
【０１４０】
さらに、蓋部８１を開放位置に係止できるので、例えばコイン補給管Ｓの取付作業等の他の作業時に、蓋部８１を手で押さえながら作業する必要がなく、かかる作業において両手を使用することができる。したがって、作業性が向上し、安全に作業することができる。
【０１４１】
上記構成を有する開閉蓋７０によれば、固定基板７２は、固定孔２ｋよりも大きく、固定孔２ｋに固定された状態で固定基板７２の外縁部が筐体２の背板２ｃに対向して固定孔２ｋを完全に閉塞する大きさを有しており、例えば固定孔２ｋが固定部７１によって閉塞された状態で固定孔２ｋを通して筐体２内に器具等を挿入しようとした場合には、一旦、固定基板７２と背板２ｃとの間を背板２ｃに沿う方向に器具等を差し込み、それから、９０度向きを変えて、孔部２ｊの内壁面に沿う方向に器具等を差し込む略Ｌ字状の挿入経路を必ず経るようにし、器具等を容易に挿入できないようにしている。したがって、固定孔２ｋを介して筐体２内に器具等を侵入させるといった不正行為を防ぐことができる。
【０１４２】
また、蓋基板８２は、孔部２ｊよりも大きく、孔部２ｊに被せた状態で蓋基板８２の外縁部が孔部２ｊの外縁部に沿って一定幅に亘って背板２ｃに対向し、孔部２ｊを閉塞する大きさを有しており、例えば孔部２ｊが蓋部８１によって閉塞された状態で孔部２ｊを通して筐体２内に器具等を挿入しようとした場合には、一旦、蓋基板８２と背板２ｃとの間を背板２ｃに沿う方向に器具等を差し込み、それから、９０度向きを変えて、孔部２ｊの内壁面に沿う方向に器具等を差し込む略Ｌ字状の挿入経路を必ず経るようにし、孔部２ｊを通して器具等を筐体２内に容易に挿入できないようにしている。したがって、孔部２ｊを介して筐体２内に器具等を侵入させるといった不正行為を防ぐことができる。
【０１４３】
また、上記構成を有する開閉蓋７０によれば、蓋部８１を閉塞位置から開放位置に向かって移動させる際、及び開放位置から閉塞位置に向かって移動させる際に、ヒンジ部８３が設けられている固定基板７２の端部７２Ａ側には端部７２Ｂ側よりも大きな力が作用するが、そのような大きな力が作用した場合にも、固定部７１は、凸起部７３によって端部７２Ｂ側よりも端部７２Ａ側の剛性が高く形成されているので、固定基板７２の端部７２Ａ側の撓み変形を抑制して固定部７１を固定孔２ｋに強固に固定でき、蓋部８１の開閉操作について安定した操作感を得ることができる。
【０１４４】
本発明は、上述の実施の形態に限定されるものではなく、本発明の趣旨を逸脱しない範囲で種々の変更が可能である。例えば、上述の実施の形態では、蓋部８１をヒンジ部８３によって固定部７１に回動自在に支持し、蓋部８１を回動させることによって孔部２ｊを開閉させる場合を例に説明したが、以下の構成を有するものであってもよい。
【０１４５】
例えば、本発明に係わるスロットマシン１は、図１２に示すように、一対のレール１０２を有する固定部１０１を背板２ｃに沿って設けて、その一対のレール１０２に往復移動自在に蓋部１１１を支持し、蓋部１１１を孔部２ｊを開放する開放位置と閉塞する閉塞位置との間で往復移動させる構成としてもよい。
【０１４６】
固定部１０１は、断面が略Ｌ字状のフレーム部材を平面視略矩形の枠状となるように連結して形成された枠体１０３を有している。枠体１０３は、枠体１０３内を長手方向に二分した領域部分の大きさが孔部２ｊとほぼ同一若しくは若干大きくなる大きさを有しており、筐体２の背板２ｃに上下に延在して下半分の領域が孔部２ｊの位置に一致するように取り付けられている。
【０１４７】
枠体１０３には、取付穴１０５ａが穿設された取付フランジ１０５が設けられており、その取付穴１０５ａに挿通した取付ネジ１０４によって背板２ｃに取り付けられる。尚、レール１０２は、枠体１０３の長手方向に沿って上下に延在する一対のフレーム部材によって構成される。
【０１４８】
蓋部１１１は、一対のレール１０２に案内されて、枠体１０３の長手方向にスライド移動自在に支持される矩形の蓋基板１１２を有している。蓋基板１１２は、一定の板厚からなる平板形状を有しており、その大きさは、孔部２ｊに被せた場合に、孔部２ｊを十分に閉塞し、孔部２ｊの外縁部に沿って一定幅に亘って背板２ｃに接面する大きさに設定されている。
【０１４９】
したがって、例えば孔部２ｊが蓋部１１１によって閉塞された状態で孔部２ｊを通して筐体２内に器具等を挿入しようとした場合には、一旦、蓋基板１１２と背板２ｃとの間を背板２ｃに沿う方向に器具等を差し込み、それから、９０度向きを変えて、孔部２ｊの内壁面に沿う方向に器具等を差し込む略Ｌ字状の挿入経路を必ず経るようにさせ、孔部２ｊを通して器具等を筐体２内に容易に挿入できないようにしている。
【０１５０】
また、蓋部１１１の下端部、右端部、左端部は、枠体１０３によって覆われているので、かかる部分から孔部２ｊを通して筐体２内に器具等を挿入しようとした場合に、枠体１０３が邪魔になって、挿入することができない。
【０１５１】
蓋部１１１による孔部２ｊの閉塞は、孔部２ｊに挿入されているコイン補給管Ｓを取り外し、孔部２ｊの自重或いは手動によって開放位置から閉塞位置に移動させることにより行われる。
【０１５２】
蓋部１１１による孔部２ｊの開放は、蓋部１１１を下方の閉塞位置から上方の開放位置に移動させることによって行われ、蓋部１１１の開放位置への保持は、開放された孔部２ｊに挿通されたコイン補給管Ｓに当接させ、或いは別個に設けた保持手段によって行われる。
【０１５３】
上記構成では、背板２ｃに固定孔２ｋを設ける必要がないので、筐体２内に連通する孔部の数を減らすことができ、かかる孔部を利用した不正行為の可能性を低くすることができる。また、筐体２の加工工程数を減らすことができ、筐体２の製造コストを低くすることができる。
【０１５４】
尚、枠体１０３の上半分の領域が孔部２ｊの位置に一致するように固定部１０１を背板２ｃに取り付けて、蓋部１１１を上方の閉塞位置に移動させて孔部２ｊを閉塞する構成としてもよい。また、枠体１０３の取付方向は上下に沿う方向に限定されるものではなく、左右に沿う方向とし、蓋部１１１を左右にスライドさせて、孔部２ｊを開閉する構成としてもよい。
【０１５５】
更に、本発明に係わるスロットマシン１では、図１３に示すように、固定軸１２４を有する固定部１２１を背板２ｃに取り付けて固定し、固定部１２１の固定軸１２４に軸孔１３４を挿通させて蓋部１３１を回転自在に支持し、蓋部１３１を固定軸１２４まわりに回転させて孔部２ｊを開放する開放位置と閉塞する閉塞位置との間で選択的に移動させる構成としてもよい。
【０１５６】
固定部１２１は、合成樹脂製材料からなる一定厚さの板部材によって構成された固定板１２２を有している。固定板１２２は、取付ネジを挿通するための貫通孔（図示せず）が固定板１２２の長手方向一方寄り位置に穿設されており、その貫通孔に挿通した取付ネジ１２３によって背板２ｃの孔部２ｊよりも下方でかつ近傍位置に固定して取り付けられる。
【０１５７】
固定軸１２４は、固定板１２２の長手方向他方寄り位置で固定板１２２に直交して突出するように設けられている。固定軸１２４の先端部は、段差を介して拡径されており、蓋部１３１の抜け止めを構成している。
【０１５８】
蓋部１３１は、合成樹脂製材料からなる一定厚さの平板部材によって形成された蓋基板１３２を有している。蓋基板１３２は、孔部２ｊに被せた状態で、孔部２ｊを十分に閉塞し、孔部２ｊの外縁部に沿って一定幅に亘って背板２ｃに接面する大きさを有しており、蓋基板１３２の裏面には、凸起部（図示せず）が設けられている。
【０１５９】
凸起部は、蓋基板１３２の剛性を確保するとともに、孔部２ｊを閉塞する閉塞位置で孔部２ｊ内に入り込み、蓋基板１３２を閉塞位置に位置決め保持するように構成されている。そして、孔部２ｊが蓋部８１によって閉塞された状態で孔部２ｊを通して筐体２内に器具等を挿入しようとした場合には、一旦、蓋基板１１２と背板２ｃとの間を背板２ｃに沿う方向に器具等を差し込み、それから、９０度向きを変えて、孔部２ｊの内壁面に沿う方向に器具等を差し込む略Ｌ字状の経路を必ず経るようにし、孔部２ｊを通して器具等を筐体２内に容易に挿入できないようにしている。
【０１６０】
蓋基板１３２には、舌片１３３が一体に形成されている。舌片１３３は、蓋基板１３２の基端辺から同一平面上に突出するように設けられており、その略中心位置には軸孔１３４が穿設されて、固定部１２１の固定軸１２４が挿通されている。
【０１６１】
蓋部１３１による孔部２ｊの閉塞は、蓋部１３１を下方の開放位置から上方の閉塞位置に回転移動させ、蓋部１３１の凸起部を孔部２ｊに係入させて位置決め保持することにより行われる。
【０１６２】
そして、蓋部１３１による孔部２ｊの開放は、蓋部１３１の凸起部による孔部２ｊへの位置決め保持を解除し、蓋部１３１を上方の閉塞位置から下方の開放位置に回転移動させることによって行われる。
【０１６３】
上記構成では、背板２ｃに固定孔２ｋを設ける必要がないので、筐体２に形成される孔部の数を減らすことができ、かかる孔部を利用した不正行為の可能性を低くすることができる。また、筐体２の加工工程数を減らすことができ、筐体２の製造コストを低くすることができる。
【０１６４】
尚、固定部１２１を、背板２ｃの孔部２ｊよりも上方でかつ近傍位置に固定して取り付けて、蓋部１３１を上方の開放位置に移動させて孔部２ｊを開放する構成としてもよい。
【０１６５】
また、固定部１２１を、背板２ｃの孔部２ｊよりも側方でかつ近傍位置に固定して取り付けて、開放位置決め手段と閉塞位置決め手段を別個に設け、蓋部１３１を回転移動させて、開放位置と閉塞位置に選択的に移動させる構成としてもよい。
【図面の簡単な説明】
【０１６６】
【図１】本実施の形態に係わるスロットマシンの全体斜視図である。
【図２】図１に示すスロットマシンの前面扉を開いた状態を示す斜視図である。
【図３】スロットマシンの筐体内を正面から示す図である。
【図４】開閉蓋の表面側を示す斜視図である。
【図５】開閉蓋の裏面側を示す斜視図である。
【図６】孔部を開閉蓋によって閉塞した状態を示す斜視図である。
【図７】孔部を開放した状態を示す斜視図である。
【図８】図６に示すスロットマシンの断面図である。
【図９】図７に示すスロットマシンの断面図である。
【図１０】図８の要部を拡大して示す図である。
【図１１】図９の要部を拡大して示す図である。
【図１２】本発明に係わる他の実施の形態を説明する図である。
【図１３】本発明に係わる更に他の実施の形態を説明する図である。
【符号の説明】
【０１６７】
１  スロットマシン（遊技機）
２  筐体
２ｃ  背板
２ｊ  孔部
２ｋ  固定孔
７０  開閉蓋
７１  固定部
７４  第１固定爪
７５  第２固定爪
７６  第２係止爪（第２係止手段）
８１  蓋部
８３  ヒンジ部
８５  第１係止爪（第１係止手段）
Ｓ  コイン補給管
【図１】
0005386778.tif 000002
【図２】
0005386778.tif 000003
【図３】
0005386778.tif 000004
【図４】
0005386778.tif 000005
【図５】
0005386778.tif 000006
【図６】
0005386778.tif 000007
【図７】
0005386778.tif 000008
【図８】
0005386778.tif 000009
【図９】
0005386778.tif 000010
【図１０】
0005386778.tif 000011
【図１１】
0005386778.tif 000012
【図１２】
0005386778.tif 000013
【図１３】
0005386778.tif 000014